(57)【特許請求の範囲】
【請求項１】
無線ＬＡＮ回線を含む複数のＷＡＮ側回線に接続できる機能を有し、当該無線ＬＡＮ回線に接続中に受信レベル低下または回線品質低下または回線切断によるハンドオーバ要求に応じて他のＷＡＮ側回線に切り替える無線通信装置において、
所定の無線ＬＡＮ基地局の識別子であるＢＳＳＩＤを登録する記憶部と、
前記接続中の無線ＬＡＮ基地局が有するＢＳＳＩＤを取得し、このＢＳＳＩＤが前記記憶部に登録されたＢＳＳＩＤと一致するときに、前記所定の無線ＬＡＮ基地局に接続中であると判別し、前記ハンドオーバ要求に対して前記他のＷＡＮ側回線に切り替えせずに、前記所定の無線ＬＡＮ基地局との接続継続または再接続処理を行う制御手段と
を備えたことを特徴とする無線通信装置。
【請求項２】
請求項１に記載の無線通信装置において、
前記制御手段は、前記ハンドオーバ要求に対して、前記所定の無線ＬＡＮ基地局との接続継続を一定期間または再接続処理を一定回数だけ行う構成である
ことを特徴とする無線通信装置。
【請求項３】
請求項１に記載の無線通信装置において、
前記制御手段は、前記接続中の無線ＬＡＮ基地局のＢＳＳＩＤが前記記憶部に登録されたＢＳＳＩＤと一致しないときに、前記ハンドオーバ要求に応じて他のＷＡＮ側回線に切り替える処理を行う構成である
ことを特徴とする無線通信装置。
【請求項４】
請求項１に記載の無線通信装置において、
ＧＰＳ信号の受信により前記無線通信装置の受信位置情報を取得する位置情報取得手段を備え、
前記記憶部は、前記所定の無線ＬＡＮ基地局のエリアを示す位置情報を前記ＢＳＳＩＤと対応付けて登録する構成であり、
前記制御手段は、前記接続中の無線ＬＡＮ基地局のＢＳＳＩＤが前記記憶部に登録されたＢＳＳＩＤと一致し、かつ前記受信位置情報と前記記憶部に登録された位置情報との距離差が所定値以内であるときに、前記所定の無線ＬＡＮ基地局に接続中であると判別し、前記ハンドオーバ要求に対して前記所定の無線ＬＡＮ基地局との接続継続または再接続処理を行う構成である
ことを特徴とする無線通信装置。
【請求項５】
請求項４に記載の無線通信装置において、
前記制御手段は、前記接続中の無線ＬＡＮ基地局のＢＳＳＩＤが前記記憶部に登録されたＢＳＳＩＤと一致しないとき、または前記受信位置情報と前記記憶部に登録された位置情報との距離差が所定値を超えるときに、前記ハンドオーバ要求に応じて他のＷＡＮ側回線に切り替える処理を行う構成である
ことを特徴とする無線通信装置。
【請求項６】
請求項４または請求項５に記載の無線通信装置において、
前記制御手段は、前記ＧＰＳ信号から得られる前記受信位置情報と前記記憶部に登録された位置情報との距離差を判定する所定値は 200ｍである
ことを特徴とする無線通信装置。
【請求項７】
無線ＬＡＮ回線を含む複数のＷＡＮ側回線に接続できる機能を有し、当該無線ＬＡＮ回線に接続中に受信レベル低下または回線品質低下または回線切断によるハンドオーバ要求に応じて他のＷＡＮ側回線に切り替える無線通信装置のＷＡＮ側回線切替方法において、  前記無線通信装置の記憶部は、所定の無線ＬＡＮ基地局の識別子であるＢＳＳＩＤを登録し、
前記無線通信装置の制御手段は、前記接続中の無線ＬＡＮ基地局が有するＢＳＳＩＤを取得し、このＢＳＳＩＤが前記記憶部に登録されたＢＳＳＩＤと一致するときに、前記所定の無線ＬＡＮ基地局に接続中であると判別し、前記ハンドオーバ要求に対して前記他のＷＡＮ側回線に切り替えせずに、前記所定の無線ＬＡＮ基地局との接続継続または再接続処理を行う
ことを特徴とする無線通信装置のＷＡＮ側回線切替方法。
【請求項８】
請求項７に記載の無線通信装置のＷＡＮ側回線切替方法において、
前記制御手段は、前記ハンドオーバ要求に対して、前記所定の無線ＬＡＮ基地局との接続継続を一定期間または再接続処理を一定回数だけ行う
ことを特徴とする無線通信装置のＷＡＮ側回線切替方法。
【請求項９】
請求項７に記載の無線通信装置のＷＡＮ側回線切替方法において、
前記制御手段は、前記接続中の無線ＬＡＮ基地局のＢＳＳＩＤが前記記憶部に登録されたＢＳＳＩＤと一致しないときに、前記ハンドオーバ要求に応じて他のＷＡＮ側回線に切り替える処理を行う
ことを特徴とする無線通信装置のＷＡＮ側回線切替方法。
【請求項１０】
請求項７に記載の無線通信装置のＷＡＮ側回線切替方法において、
前記無線通信装置は、ＧＰＳ信号の受信により受信位置情報を取得する位置情報取得手段を備え、
前記記憶部は、前記所定の無線ＬＡＮ基地局のエリアを示す位置情報を前記ＢＳＳＩＤと対応付けて登録し、
前記制御手段は、前記接続中の無線ＬＡＮ基地局のＢＳＳＩＤが前記記憶部に登録されたＢＳＳＩＤと一致し、かつ前記受信位置情報と前記記憶部に登録された位置情報との距離差が所定値以内であるときに、前記所定の無線ＬＡＮ基地局に接続中であると判別し、前記ハンドオーバ要求に対して前記所定の無線ＬＡＮ基地局との接続継続または再接続処理を行う
ことを特徴とする無線通信装置のＷＡＮ側回線切替方法。
【請求項１１】
請求項１０に記載の無線通信装置のＷＡＮ側回線切替方法において、
前記制御手段は、前記接続中の無線ＬＡＮ基地局のＢＳＳＩＤが前記記憶部に登録されたＢＳＳＩＤと一致しないとき、または前記受信位置情報と前記記憶部に登録された位置情報との距離差が所定値を超えるときに、前記ハンドオーバ要求に応じて他のＷＡＮ側回線に切り替える処理を行う
ことを特徴とする無線通信装置のＷＡＮ側回線切替方法。
【請求項１２】
請求項１０または請求項１１に記載の無線通信装置のＷＡＮ側回線切替方法において、  前記制御手段は、前記ＧＰＳ信号から得られる前記受信位置情報と前記記憶部に登録された位置情報との距離差を判定する所定値は 200ｍである
ことを特徴とする無線通信装置のＷＡＮ側回線切替方法。
【発明の詳細な説明】
【技術分野】
【０００１】
本発明は、ＷＡＮ側回線として移動通信回線と無線ＬＡＮ回線の切り替えを行う無線通信装置およびＷＡＮ側回線切替方法に関する。
【０００２】
ここで、無線通信装置は、移動通信回線と無線ＬＡＮに接続できる２つのインタフェース（ＩＦ）を備えた端末装置であってもよいし、無線ＬＡＮ端末を移動通信回線または無線ＬＡＮ回線に接続する無線中継装置（モバイル無線ルータ）のＷＡＮ側の通信機能部であってもよい。また、移動通信回線は、携帯電話回線やＷｉＭＡＸ（Worldwide interoperability for microwave access)回線などであるが、以下簡単のために携帯電話回線を例に説明する。
【背景技術】
【０００３】
複数のＷＡＮ側回線ＩＦを備える無線通信装置では、自動的に最適なＷＡＮ側回線を選択して接続を行う。無線通信装置が携帯電話回線および無線ＬＡＮ回線に対応できるとき、例えば駅のホームなどの公衆無線ＬＡＮサービスのエリア内にいるときは無線ＬＡＮ回線を利用し、そのエリア外に移動したときは携帯電話回線に自動的に切り替わる（特許文献１、非特許文献１）。
【０００４】
図７は、無線通信装置の構成例を示す。ここでは、無線ＬＡＮ端末を携帯電話回線または無線ＬＡＮ回線に接続する無線中継装置（モバイル無線ルータ）の構成例を示す。
【０００５】
図７において、無線通信装置１０は、ＷＡＮ側で無線ＬＡＮ回線に接続するＷＡＮ側無線ＬＡＮ送受信部１１と、携帯電話回線に接続するＷＡＮ側携帯電話送受信部１２を備え、ＬＡＮ側で無線ＬＡＮ端末２０に接続するＬＡＮ側無線ＬＡＮ送受信部１３を備え、ＷＡＮ側回線の接続切替を行う制御部１４を備える。記憶部１５は、制御部１４の切替制御に必要な情報を格納する。
【０００６】
無線通信装置１０の制御部１４は、例えばＷＡＮ側無線ＬＡＮ送受信部１１で接続可能な無線ＬＡＮ回線の受信レベルを検出し、当該受信レベルが閾値を超えていれば接続可能な無線ＬＡＮエリア内と判別し、ＷＡＮ側無線ＬＡＮ送受信部１１とＬＡＮ側無線ＬＡＮ送受信部１３を接続する。これにより、無線ＬＡＮ端末２０は、無線通信装置１０、無線ＬＡＮ回線を介してネットワークに接続される。一方、当該受信レベルが閾値以下であれば無線ＬＡＮエリア外（携帯電話エリア）と判別し、ＷＡＮ側携帯電話送受信部１２とＬＡＮ側無線ＬＡＮ送受信部１３を接続する。これにより、無線ＬＡＮ端末２０は、無線通信装置１０、携帯電話回線を介してネットワークに接続される。以上のＷＡＮ側回線の選択および切り替えは、ＷＡＮ側で接続可能な無線ＬＡＮ回線の受信レベルに応じて、あるいは一方のＷＡＮ側回線の切断検出により自動的に行われる。なお、ＷＡＮ側の無線ＬＡＮ回線と携帯電話回線の通信品質を比較し、通信品質が良好なＷＡＮ側回線に接続するようにしてもよい。
【０００７】
このように、接続可能な無線ＬＡＮエリア内にいるときはＷＡＮ側で無線ＬＡＮ回線に接続し、無線ＬＡＮエリア内からエリア外に移動したときは、無線ＬＡＮ回線の切断検出によりＷＡＮ側回線を携帯電話回線に切り替える。また、無線ＬＡＮエリア外からエリア内にへ移動したときは、無線ＬＡＮ回線の受信レベル等により無線ＬＡＮエリア内であることを検出すると、ＷＡＮ側回線を無線ＬＡＮ回線に切り替え、携帯電話回線を切断する。無線ＬＡＮ端末２０は、無線通信装置１０のＷＡＮ側回線の選択機能およびハンドオーバ機能により、無線通信装置１０に接続しておくだけで、移動時でも設定変更することなく通信を継続することができる。
【０００８】
なお、携帯電話回線と無線ＬＡＮ回線に接続できる端末装置であっても同様であり、回線選択機能およびハンドオーバ機能により、移動時でも設定変更することなく通信を継続することができる。
【先行技術文献】
【特許文献】
【０００９】
【特許文献１】特開２０１０−０２１８７８号公報（無線中継装置）
【非特許文献】
【００１０】
【非特許文献１】ポータブルコグニティブ無線ルータhttp://www.ntt-bp.net/pc/company/news/090715.html
【発明の概要】
【発明が解決しようとする課題】
【００１１】
ＷＡＮ側で携帯電話回線または無線ＬＡＮ回線を選択して接続する無線通信装置では、一方のＷＡＮ側回線を介してネットワークに接続中に、他方のＷＡＮ側回線に切り替える際には、通信できない時間が発生してしまう。
【００１２】
このような無線通信装置を自宅などの無線ＬＡＮエリア内で利用する場合、部屋の移動などにより電波が弱くなり瞬時的に通信ができないことがある。この場合、無線通信装置は、無線ＬＡＮ回線が利用できなくなったと判断し、ＷＡＮ側回線を携帯電話回線に切り替える。しかし、無線ＬＡＮエリア内からエリア外へ移動したわけではないので、その後すぐに無線ＬＡＮ回線を検出し、ＷＡＮ側回線を無線ＬＡＮ回線に再度切り替えることになる。このように、ＷＡＮ側回線の切り替えが頻繁に発生すると、それに伴い通信できない時間が頻繁に発生することになる。
【００１３】
また、自宅に限らず、駅や喫茶店等に設置された公衆無線ＬＡＮエリアにおいても同様であり、無線ＬＡＮエリア内にいながら電波の状態によってＷＡＮ側回線の切り替えが発生し、通信できない時間が発生する。
【００１４】
本発明は、複数のＷＡＮ側回線に接続可能な無線通信装置において、予め登録された無線ＬＡＮエリアでは、ＷＡＮ側回線の頻繁な切り替えによる通信できない時間を減少させ、安定した通信を実現する無線通信装置およびＷＡＮ側回線切替方法を提供することを目的とする。
【課題を解決するための手段】
【００１５】
第１の発明は、無線ＬＡＮ回線を含む複数のＷＡＮ側回線に接続できる機能を有し、当該無線ＬＡＮ回線に接続中に受信レベル低下または回線品質低下または回線切断によるハンドオーバ要求に応じて他のＷＡＮ側回線に切り替える無線通信装置において、所定の無線ＬＡＮ基地局の識別子であるＢＳＳＩＤを登録する記憶部と、接続中の無線ＬＡＮ基地局が有するＢＳＳＩＤを取得し、このＢＳＳＩＤが記憶部に登録されたＢＳＳＩＤと一致するときに、所定の無線ＬＡＮ基地局に接続中であると判別し、ハンドオーバ要求に対して他のＷＡＮ側回線に切り替えせずに、所定の無線ＬＡＮ基地局との接続継続または再接続処理を行う制御手段とを備える。
【００１６】
制御手段は、ハンドオーバ要求に対して、所定の無線ＬＡＮ基地局との接続継続を一定期間または再接続処理を一定回数だけ行う構成としてもよい。
【００１８】
また、制御手段は、接続中の無線ＬＡＮ基地局のＢＳＳＩＤが記憶部に登録されたＢＳＳＩＤと一致しないときに、ハンドオーバ要求に応じて他のＷＡＮ側回線に切り替える処理を行う構成としてもよい。
【００１９】
本発明の無線通信装置において、さらに、ＧＰＳ信号の受信により無線通信装置の受信位置情報を取得する位置情報取得手段を備え、記憶部は、所定の無線ＬＡＮ基地局のエリアを示す位置情報をＢＳＳＩＤと対応付けて登録する構成であり、制御手段は、接続中の無線ＬＡＮ基地局のＢＳＳＩＤが記憶部に登録されたＢＳＳＩＤと一致し、かつ受信位置情報と記憶部に登録された位置情報との距離差が所定値以内であるときに、所定の無線ＬＡＮ基地局に接続中であると判別し、ハンドオーバ要求に対して所定の無線ＬＡＮ基地局との接続継続または再接続処理を行う構成としてもよい。
【００２０】
また、制御手段は、接続中の無線ＬＡＮ基地局のＢＳＳＩＤが記憶部に登録されたＢＳＳＩＤと一致しないとき、または受信位置情報と記憶部に登録された位置情報との距離差が所定値を超えるときに、ハンドオーバ要求に応じて他のＷＡＮ側回線に切り替える処理を行う構成としてもよい。この所定値は 200ｍである。
【００２１】
第２の発明は、無線ＬＡＮ回線を含む複数のＷＡＮ側回線に接続できる機能を有し、当該無線ＬＡＮ回線に接続中に受信レベル低下または回線品質低下または回線切断によるハンドオーバ要求に応じて他のＷＡＮ側回線に切り替える無線通信装置のＷＡＮ側回線切替方法において、無線通信装置の記憶部は、所定の無線ＬＡＮ基地局の識別子であるＢＳＳＩＤを登録し、無線通信装置の制御手段は、接続中の無線ＬＡＮ基地局が有するＢＳＳＩＤを取得し、このＢＳＳＩＤが記憶部に登録されたＢＳＳＩＤと一致するときに、所定の無線ＬＡＮ基地局に接続中であると判別し、ハンドオーバ要求に対して他のＷＡＮ側回線に切り替えせずに、所定の無線ＬＡＮ基地局との接続継続または再接続処理を行う。
【００２２】
制御手段は、ハンドオーバ要求に対して、所定の無線ＬＡＮ基地局との接続継続を一定期間または再接続処理を一定回数だけ行ってもよい。
【００２４】
また、制御手段は、接続中の無線ＬＡＮ基地局のＢＳＳＩＤが記憶部に登録されたＢＳＳＩＤと一致しないときに、ハンドオーバ要求に応じて他のＷＡＮ側回線に切り替える処理を行ってもよい。
【００２５】
第２の発明の無線通信装置のＷＡＮ側回線切替方法において、さらに無線通信装置は、ＧＰＳ信号の受信により受信位置情報を取得する位置情報取得手段を備え、記憶部は、所定の無線ＬＡＮ基地局のエリアを示す位置情報をＢＳＳＩＤと対応付けて登録し、制御手段は、接続中の無線ＬＡＮ基地局のＢＳＳＩＤが記憶部に登録されたＢＳＳＩＤと一致し、かつ受信位置情報と記憶部に登録された位置情報との距離差が所定値以内であるときに、所定の無線ＬＡＮ基地局に接続中であると判別し、ハンドオーバ要求に対して所定の無線ＬＡＮ基地局との接続継続または再接続処理を行ってもよい。
【００２６】
また、制御手段は、接続中の無線ＬＡＮ基地局のＢＳＳＩＤが記憶部に登録されたＢＳＳＩＤと一致しないとき、または受信位置情報と記憶部に登録された位置情報との距離差が所定値を超えるときに、ハンドオーバ要求に応じて他のＷＡＮ側回線に切り替える処理を行ってもよい。この所定値は 200ｍである。
【発明の効果】
【００２７】
本発明は、予め登録された無線ＬＡＮエリアでは、無線ＬＡＮ基地局に接続中に受信レベル低下または回線品質低下または回線切断によるハンドオーバ要求に対してただちに他のＷＡＮ側回線への切り替えをせずに、当該無線ＬＡＮ基地局との接続継続または再接続処理を行う。これにより、ＷＡＮ側回線の頻繁な切り替えによる通信できない時間を減少させ、安定した通信を実現することができる。
【図面の簡単な説明】
【００２８】
【図１】本発明が適用されるシステム構成例を示す図である。
【図２】実施例１における記憶部１５の登録情報の一例を示す図である。
【図３】実施例１のＷＡＮ側回線切替手順の一例を示すフローチャートである。
【図４】実施例１におけるＷＡＮ側回線の選択状態を示すタイムチャートである。
【図５】実施例２における記憶部１５の登録情報の一例を示す図である。
【図６】実施例２のＷＡＮ側回線切替手順の一例を示すフローチャートである。
【図７】無線通信装置の構成例を示す図である。
【発明を実施するための形態】
【実施例１】
【００２９】
図１は、本発明が適用されるシステム構成例を示す。
図１において、ユーザは、無線ＬＡＮ回線または携帯電話回線に接続可能な無線通信装置（モバイル無線ルータ）１０および無線ＬＡＮ端末２０を携帯して移動する。通常、無線通信装置１０はバッテリ電源で常時オンであり、無線ＬＡＮ回線または携帯電話回線のいずれかに接続している。無線ＬＡＮ端末２０は必要に応じてＯＮとなり、無線通信装置１０と無線ＬＡＮ接続し、無線通信装置１０を介して無線ＬＡＮ回線または携帯電話回線に接続する。これにより、無線ＬＡＮ端末２０は、無線通信装置１０、無線ＬＡＮ基地局ＡＰまたは携帯電話基地局ＢＳを介してネットワークに接続される。
【００３０】
無線通信装置１０の構成は、図７に示す通りである。本発明の無線通信装置１０の記憶部１５には、図２に示すように、自宅など所定の無線ＬＡＮ基地局の識別子であるＢＳＳＩＤを予め登録しておく。さらに記憶部１５には，登録した無線ＬＡＮエリア内（フラグ＝１）か否か（フラグ＝０）を記憶する登録エリア内フラグを登録する。
【００３１】
図３は、実施例１のＷＡＮ側回線切替手順を示す。
図３において、例えば帰宅して無線通信装置１０のＷＡＮ側を無線ＬＡＮ回線に接続すると（Ｓ１）、接続した無線ＬＡＮ基地局のＢＳＳＩＤを取得し、記憶部１５に予め登録した自宅の無線ＬＡＮ基地局のＢＳＳＩＤと照合し（Ｓ２，Ｓ３）、一致すれば登録エリア内フラグを「１」に設定する（Ｓ４）。また、不一致であれば、登録した自宅以外の無線ＬＡＮ基地局に接続されたことになるので、登録エリア内フラグを「０」に設定する（Ｓ５）。
【００３２】
その後、無線ＬＡＮ回線を監視し（Ｓ６）、受信レベル低下または回線品質低下または回線切断などを検出し、他のＷＡＮ側回線へのハンドオーバ要求が発生した場合、記憶部１５の登録エリア内フラグを参照し、登録した無線ＬＡＮエリア内か否かを判定する（Ｓ７）。ここでは、自宅の無線ＬＡＮエリア内にいる（フラグ１）ので、すぐにＷＡＮ側回線を携帯電話回線に切り替えず、無線ＬＡＮ回線の接続継続あるいは無線ＬＡＮ回線が切断されていれば無線ＬＡＮ再接続を行う（Ｓ８，Ｓ９）。これにより、自宅で利用中に人影などで電波状態が一時的に悪くなった場合でも無線ＬＡＮの利用を継続でき、頻繁なＷＡＮ側回線の切り替えによる通信できない時間の発生を防ぐことができる。ＷＡＮ側回線の選択状態の例を図４に示す。従来は無線ＬＡＮの受信電力が低下するごとに無線ＬＡＮ回線から携帯電話回線に切り替わっていたが、本実施例ではそれが一時的なものであれば、無線ＬＡＮ回線との接続を継続することができる。
【００３３】
また、ＷＡＮ側の無線ＬＡＮ再接続が失敗すれば、必要に応じて所定回数Ａだけ無線ＬＡＮ再接続処理を繰り返し（Ｓ10）、それでも無線ＬＡＮに接続できない場合には、自宅の無線ＬＡＮエリア外に出たものと判断し、登録エリア内フラグを「０」に設定し（Ｓ11）、ＷＡＮ側回線を携帯電話回線に切り替える処理を行う（Ｓ12）。また、ステップＳ７で記憶部１５の登録エリア内フラグが「０」であれば、登録した自宅の無線ＬＡＮエリア外の他の無線ＬＡＮ回線に接続しているので、無線ＬＡＮ回線の切断によってすぐにＷＡＮ側回線を携帯電話回線に切り替える処理に入る（Ｓ７→Ｓ12）。
【００３４】
これにより、自宅で利用中に人影などで電波状態が一時的に悪くなった場合でも無線ＬＡＮの利用を継続でき、頻繁なＷＡＮ側回線の切り替えによる通信できない時間の発生を防ぐことができる。
【００３５】
なお、本実施例では、ＷＡＮ側回線の切替処理を制御する無線ＬＡＮエリアとして、自宅の無線ＬＡＮ基地局のＢＳＳＩＤを登録する例を示したが、駅や喫茶店等に設置された公衆無線ＬＡＮ基地局のＢＳＳＩＤを登録することにより、自宅の無線ＬＡＮ基地局と同様にＷＡＮ側回線の切り替えによる通信できない時間の発生を防ぐことができる。
【実施例２】
【００３６】
本実施例は、無線ＬＡＮ基地局のＢＳＳＩＤだけでなく、ＧＰＳ（Global Positioning System ）を利用して、登録された無線ＬＡＮエリアに滞在中であれば、頻繁にＷＡＮ側回線の切り替えによる通信できない時間を減少させ、安定した通信を実現する例を示す。
【００３７】
本実施例の無線通信装置１０は、図７に示す構成に加えて、制御部１４に接続されるＧＰＳ信号受信部およびＧＰＳ信号記憶部を備える。ＧＰＳ信号受信部では、例えば１秒ごとの一定周期でＧＰＳ信号を受信し、ＧＰＳ信号から算出した緯度経度の位置情報（受信位置情報）をＧＰＳ信号記憶部に記憶する。ＧＰＳ信号が受信できない場合など受信位置情報が算出できない場合は、最後に受信したＧＰＳ信号から算出した受信位置情報を保持する。通常、自宅などの屋内ではＧＰＳ信号を受信できないので、自宅周辺で最後に受信したＧＰＳ信号から算出した受信位置情報を保持することになる。また、無線通信装置１０の記憶部１５には、図５に示すように、予め自宅の無線ＬＡＮ基地局のＢＳＳＩＤとともに、設置場所である自宅の緯度経度の位置情報（登録位置情報）を登録する。
【００３８】
図６は、実施例２のＷＡＮ側回線切替手順を示す。
図６において、例えば帰宅して無線通信装置１０のＷＡＮ側を無線ＬＡＮ回線に接続すると（Ｓ１）、接続した無線ＬＡＮ基地局のＢＳＳＩＤを取得し、記憶部１５に予め登録した自宅の無線ＬＡＮ基地局のＢＳＳＩＤと照合し（Ｓ２，Ｓ３）、一致すれば登録エリア内フラグを「１」に設定する（Ｓ４）。また、不一致であれば、登録した自宅以外の無線ＬＡＮ基地局に接続されたことになるので、登録エリア内フラグを「０」に設定する（Ｓ５）。
【００３９】
その後、無線ＬＡＮ回線を監視し（Ｓ６）、受信レベル低下または回線品質低下または回線切断などを検出し、他のＷＡＮ側回線へのハンドオーバ要求が発生した場合、記憶部１５の登録エリア内フラグを参照し、登録した無線ＬＡＮエリア内か否かを判定する（Ｓ７）。ここでは、自宅の無線ＬＡＮエリア内にいる（フラグ１）ので、すぐにＷＡＮ側回線を携帯電話回線に切り替えず、受信したＧＰＳ信号から算出してＧＰＳ信号記憶部に記憶された受信位置情報と、記憶部１５の登録位置情報の照合を行う（Ｓ21）。
【００４０】
照合は、受信位置情報と登録位置情報の位置の差である距離を算出し、位置の差が一定の範囲内であるか否かを判別する（Ｓ22）。例えば、距離が 200ｍ以内であれば同一地点であるとみなし、距離が 200ｍを超えていれば異なる位置にいると判別する。受信位置情報と登録位置情報の照合により、その位置の差が一定の範囲内であれば、ユーザは登録した自宅の無線ＬＡＮエリア内に滞在していると判断し、すぐにＷＡＮ側回線を携帯電話回線に切り替えず、無線ＬＡＮ回線の接続継続あるいは無線ＬＡＮ回線が切断されていれば無線ＬＡＮ再接続を行う（Ｓ８，Ｓ９）。
【００４１】
また、ステップＳ21，Ｓ22の受信位置情報と登録位置情報の照合により、その位置の差が一定の範囲内でなければ、ユーザは登録した自宅の無線ＬＡＮエリア外へ移動したと判断し、登録エリア内フラグを「０」に変更し（Ｓ11）、ＷＡＮ側回線を携帯電話回線に切り替える処理を行う（Ｓ12）。
【００４２】
また、ＷＡＮ側の無線ＬＡＮ再接続が失敗すれば、必要に応じて所定回数Ａだけ無線ＬＡＮ再接続処理を繰り返し（Ｓ10）、それでも無線ＬＡＮに接続できない場合には、自宅の無線ＬＡＮエリア外に出たものと判断し、登録エリア内フラグを「０」に設定し（Ｓ11）、ＷＡＮ側回線を携帯電話回線に切り替える処理を行う（Ｓ12）。また、ステップＳ７で記憶部１５の登録エリア内フラグが「０」であれば、登録した自宅の無線ＬＡＮエリア外の他の無線ＬＡＮ回線に接続しているので、無線ＬＡＮ回線の切断によってすぐにＷＡＮ側回線を携帯電話回線に切り替える処理に入る（Ｓ７→Ｓ12）。
【００４３】
これにより、自宅で無線ＬＡＮを利用中に人影などで電波状態が一時的に悪くなった場合でも無線ＬＡＮの利用を継続でき、頻繁なＷＡＮ側回線の切り替えによる通信できない時間の発生を防ぐことができるとともに、ＧＰＳによる位置情報を用いることにより、自宅の無線ＬＡＮエリア外に出た場合にはすぐに携帯電話回線へ接続を切替えることができる。
【符号の説明】
【００４４】
１０  無線通信装置
１１  ＷＡＮ側無線ＬＡＮ送受信部
１２  ＷＡＮ側携帯電話送受信部
１３  ＬＡＮ側無線ＬＡＮ送受信部
１４  制御部
１５  記憶部
２０  無線ＬＡＮ端末
【図１】
0005379081.tif 000002
【図２】
0005379081.tif 000003
【図３】
0005379081.tif 000004
【図４】
0005379081.tif 000005
【図５】
0005379081.tif 000006
【図６】
0005379081.tif 000007
【図７】
0005379081.tif 000008